(57)【特許請求の範囲】
【請求項１】
画像通信装置全体を制御する主制御手段と；
上記画像通信装置の動作モードを指定する操作手段と；
上記画像通信装置の動作モード、または上記画像通信装置が受信した受信文書を表示する表示手段と；
上記画像通信装置の使用者の音声を入力する音声入力手段と；
上記音声入力手段に入力された音声データをディジタルデータに変換するデータ変換手段と；
上記画像通信装置の使用者を識別する使用者識別データを記憶する使用者識別データ記憶手段と；
上記データ変換手段の出力と、上記識別データ記憶手段に記憶されているデータとに基づいて、話者を識別する話者識別手段と；
使用者固有の情報を複数記憶する使用者固有情報記憶手段と；
上記使用者固有情報記憶手段が記憶している使用者固有の情報と、上記話者識別手段が識別した識別結果とに応じて、使用者固有の情報を出力する使用者情報処理手段と；
原稿画像データを読み取る画像読取手段と；
上記画像読取手段が出力する画像データを画像処理する画像処理手段と；
上記画像通信装置と通信回線のデータとを制御する通信制御手段と；
上記通信制御手段が制御した受信文書を記憶する受信文書記憶手段と；
受信文書を出力する画像記録手段と；
上記音声入力手段を介して、装置使用者が１回、入力した音声データのみに基づいて、装置の動作モード指定と、使用者識別と、識別使用者固有情報に基づく受信文書の受信と、識別使用者固有情報に基づく受信文書の開封とを、一括して実行する実行手段と；
を有し、上記使用者情報処理手段が特定した使用者固有情報に対応する受信文書のみを、上記記憶手段から読み取り、上記表示手段に表示することを特徴とする画像通信装置。
【請求項２】
請求項１において、
上記使用者情報処理手段が特定する使用者固有情報は、ｅ−ｍａｉｌアドレスであることを特徴とする画像通信装置。
【発明の詳細な説明】
【０００１】
【発明の属する技術分野】
本発明は、ｅ−ｍａｉｌ文書を受信可能なファクシミリ装置等の画像通信装置に関する。
【０００２】
【従来の技術】
図６は、従来のファクシミリ装置ＦＳ１１の構成を示すブロック図である。
【０００３】
従来のファクシミリ装置ＦＳ１１は、ファクシミリ装置ＦＳ１１の全体を制御する主制御部２０１と、ファクシミリ装置ＦＳ１１の動作モードや起動指示等を指定する操作部２０２と、ＬＣＤ等によって構成され、操作部２０２によって指定された動作モード等を表示する表示部２０３とを有する。
【０００４】
また、画像読取部２０４は、ＣＣＤまたはＣＩＳ等によって構成され、点灯制御によって原稿画像データの読み取りを行う。画像処理部２０５は、画像読取部２０４によって読み取られた画像データに、画像処理、符号化処理等を施す。インクジェットプリンタ、レーザビームプリンタ等によって構成される画像記録部２０６は、ファクシミリ受信文書またはｅ−ｍａｉｌ受信文書を印字する。
【０００５】
通信制御部２０７は、画像処理部２０６によって処理された原稿画像の符号データと、ｅ−ｍａｉｌ送受信文書データとを制御する。メモリ２０８は、通信回線２０９を介して受信したファクシミリ受信文書、またはファクシミリ装置ＦＳ１１に登録されているアカウント（以下、ｅ−ｍａｉｌアドレスという）宛のｅ−ｍａｉｌ受信文書を記憶する。
【０００６】
次に、従来のファクシミリ装置ＦＳ１１の動作について説明する。
【０００７】
図７は、従来のファクシミリ装置ＦＳ１１の動作を示すフローチャートである。
【０００８】
まず、操作部２０２に設けられているキーによって、ファクシミリ装置ＦＳ１１の動作モードが、ｅ−ｍａｉｌ受信モードに設定され（Ｓ４０１）、また、操作部２０２に設けられているキーによって、ｅ−ｍａｉｌ文書受信が起動されると（Ｓ４０２）、受信動作を開始する。このときに、ｅ−ｍａｉｌアドレスが複数、登録されている場合、ｅ−ｍａｉｌ受信動作の起動時点で、接続ｍａｉｌサーバに蓄積されているファクシミリ装置ＦＳ１１宛の受信文書を、所定の接続手続き後に、一括して受信する（Ｓ４０３）。
【０００９】
受信した文書は、通信制御部２０７によって制御され、メモリ２０８に一括記憶される。ステップＳ４０２において受信動作が起動されてから、ファクシミリ装置ＦＳ１１宛の全ての受信文書を受信するまで、ステップＳ４０３の受信動作を繰り返す。
【００１０】
次に、従来のファクシミリ装置ＦＳ１１において、ｅ−ｍａｉｌ受信文書を開封する動作について説明する。
【００１１】
図８は、従来のファクシミリ装置ＦＳ１１において、ｅ−ｍａｉｌ受信文書を開封する動作を示すフローチャートである。
【００１２】
ファクシミリ装置ＦＳ１１の使用者が、操作部２０２に設けられているキーを介して、動作モードをｅ−ｍａｉｌ受信文書の開封モードに設定し（Ｓ５０１）、操作部２０２に設けられているキーを介して、開封文書が選択されると（Ｓ５０２）、受信文書を開封する（Ｓ５０３）。すなわち、メモリ２０８に記憶されている受信文書のうちで、選択された受信文書を表示部２０３に表示するか、または、画像記録部２０６に出力し、装置使用者が受信文書を確認することができる。
【００１３】
なお、受信文書を表示部２０３に表示するか、画像記録部２０６に記録するかを、使用者が操作部２０２を操作することによって設定する。
【００１４】
【発明が解決しようとする課題】
しかし、上記従来例において、ファクシミリ装置ＦＳ１１の使用者が複数存在し、ｅ−ｍａｉｌアドレスが複数、登録され、特定の使用者がｅ−ｍａｉｌ文書を受信する場合、ファクシミリ装置ＦＳ１１宛に送信された文書が、全て受信されるという問題がある。
【００１５】
また、受信文書を任意に開封することができるので、他の使用者宛に送信された文書を開封でき、したがって、受信文書の秘匿性を保持できないという問題がある。
【００１６】
上記問題は、ファクシミリ装置以外の画像通信装置においても生じる問題である。
【００１７】
本発明は、ｅ−ｍａｉｌアドレスが複数、登録されている画像通信装置において、他の使用者に、文書が受信されることを阻止することができ、また、受信文書の秘匿性を保持することができる画像通信装置を提供することを目的とするものである。
【００１８】
【課題を解決するための手段】
本発明は、画像通信装置全体を制御する主制御手段と、上記画像通信装置の動作モードを指定する操作手段と、上記画像通信装置の動作モード、または上記画像通信装置が受信した受信文書を表示する表示手段と、上記画像通信装置の使用者の音声を入力する音声入力手段と、上記音声入力手段に入力された音声データをディジタルデータに変換するデータ変換手段と、上記画像通信装置の使用者を識別する使用者識別データを記憶する使用者識別データ記憶手段と、上記データ変換手段の出力と、上記識別データ記憶手段に記憶されているデータとに基づいて、話者を識別する話者識別手段と、使用者固有の情報を複数記憶する使用者固有情報記憶手段と、上記使用者固有情報記憶手段が記憶している使用者固有の情報と、上記話者識別手段が識別した識別結果とに応じて、使用者固有の情報を出力する使用者情報処理手段と、原稿画像データを読み取る画像読取手段と、上記画像読取手段が出力する画像データを画像処理する画像処理手段と、上記画像通信装置と通信回線のデータとを制御する通信制御手段と、上記通信制御手段が制御した受信文書を記憶する受信文書記憶手段と、受信文書を出力する画像記録手段と、上記音声入力手段を介して、装置使用者が１回、入力した音声データのみに基づいて、装置の動作モード指定と、使用者識別と、識別使用者固有情報に基づく受信文書の受信と、識別使用者固有情報に基づく受信文書の開封とを、一括して実行する実行手段とを有し、上記使用者情報処理手段が特定した使用者固有情報に対応する受信文書のみを、上記記憶手段から読み取り、上記表示手段に表示することを特徴とする画像通信装置である。
【００１９】
【発明の実施の形態および実施例】
図１は、本発明の一実施例であるファクシミリ装置ＦＳ１を示すブロック図である。
【００２０】
ファクシミリ装置ＦＳ１は、主制御部１０１と、複数のキーによって構成されている操作部１０２と、ＬＣＤ等によって構成されている表示部１０３とを有する。
【００２１】
音声入力部１０４は、ファクシミリ装置ＦＳ１の使用者を特定するための音声入力部であり、ハンドセットまたは専用に設けられているマイク等の音声入力装置によって構成されている。
【００２２】
Ａ／Ｄ変換部１０５は、音声入力部１０４に入力された音声データをＡ／Ｄ変換し、入力されたアナログ音声データを、所定のサンプリングタイミングで、ディジタル信号に変換する。
【００２３】
話者識別パラメータ記憶部１０６は、Ａ／Ｄ変換部１０５が出力したディジタル出力信号に基づいて、話者を特定する話者識別パラメータを記憶する。
【００２４】
話者識別処理部１０７は、Ａ／Ｄ変換部１０５が出力するディジタルデータと、話者識別パラメータ記憶部１０６に記憶されている話者識別パラメータとを比較することによって、話者特定を行う。話者識別処理部１０７は、使用者の音声入力によって話者を特定する。
【００２５】
使用者固有情報記憶部１０８は、ファクシミリ装置ＦＳ１を使用しているとき、または、ｅ−ｍａｉｌを使用しているときに参照する使用者固有情報を記憶する。
【００２６】
使用者固有情報処理部１０９は、話者識別処理部１０７が識別した話者と、この識別された話者に対応する使用者固有情報とを、使用者固有情報記憶部１０８が照合し、一致した場合に、主制御部１０１に情報を送出する。使用者固有情報処理部１０９が出力する使用者固有情報は、ｅ−ｍａｉｌの使用時であれば、使用者のアカウント（以下、ｅ−ｍａｉｌアドレス）である。
【００２７】
画像読取部１１０は、ＣＣＤまたはＣＩＳによって構成され、点灯制御によって原稿画像データを読み取る。画像処理部１１１は、画像読取部１１０が読み取った画像データに、画像処理、符号化処理を施す。画像記録部１１２は、インクジェットプリンタ、またはレーザビームプリンタ等によって構成され、受信時の文書を出力する。
【００２８】
通信制御部１１３は、画像処理部１１１によって出力された符号データまたはｅ−ｍａｉｌ文書データに、それぞれ所定の手順に基づいて処理し、制御する。通信回線１１５は、通信制御部１１３によって制御されたファクシミリデータまたはｅ−ｍａｉｌ文書データを伝送する。
【００２９】
次に、ファクシミリ装置ＦＳ１において、ｅ−ｍａｉｌ文書を受信する動作について説明する。
【００３０】
図２は、ファクシミリ装置ＦＳ１において、ｅ−ｍａｉｌ文書を受信する動作を示すフローチャートである。
【００３１】
操作部１０２に設けられているキーを介して、使用者が、ファクシミリ装置ＦＳ１の動作モードを、ｅ−ｍａｉｌ文書の受信モードに設定すると、ｅ−ｍａｉｌ受信文書の受信動作を開始し（Ｓ１０１）、使用者に音声入力を促す（Ｓ１０２）。
【００３２】
ハンドセットまたはマイク等の音声入力部１０４に、使用者が音声入力すると、入力された音声を、音声認識する（Ｓ１０３）。具体的には、使用者によって入力された音声データを、Ａ／Ｄ変換部１０５がディジタル信号に変換し、この変換されたディジタルデータが、話者識別処理部１０７に出力される。話者識別処理部１０７は、Ａ／Ｄ変換部１０５から出力されたディジタル音声データと、話者識別パラメータ記憶部１０６に記憶されている話者識別パラメータとを、データ照合し、使用者を識別する。
【００３３】
なお、上記実施例において、話者識別処理部１０７による話者識別手法として、話者を特定することができる手法であれば、他の手法を使用するようにしてもよい。すなわち、Ａ／Ｄ変換部１０５が出力する話者の音声信号パターンと、話者識別パラメータ記憶部１０６に記憶したデータパターンとの間で、パターンマッチングし、話者を識別するようにしてもよく、また、話者を特定する音素データを、使用者毎に、予め入力しておくことによる比較識別を使用するようにしてもよい。話者識別処理部１０７は、識別した使用者固有情報を、使用者固有情報処理部１０９に出力する。
【００３４】
使用者固有情報処理部１０９は、話者識別処理部１０７が識別した使用者に対応する使用者固有情報を、使用者固有情報記憶部１０８に記憶されているデータに基づいて確認する。
【００３５】
つまり、使用者に対応するｅ−ｍａｉｌアドレスが、使用者固有情報記憶部１０８に登録されているか否かを調べる。使用者固有情報処理部１０９は、使用者に対応するｅ−ｍａｉｌアドレスが、使用者固有情報記憶部１０８に記憶されていることを確認すると（Ｓ１０４）、主制御部１０１に、確認した使用者固有情報を知らせる。
【００３６】
なお、使用者固有情報を主制御部１０１へ通達する場合、使用者固有情報処理部１０９が主制御部１０１に出力する割り込みによって、通達するようにしてもよく、使用者からｅ−ｍａｉｌ受信の動作指示がなされ、音声入力されたタイミングから所定の時間をおいて、主制御部１０１が使用者固有情報処理部１０９内部に構成したレジスタを参照するようにしてもよい。
【００３７】
使用者が、操作部１０２に設けられているキーを押下し、ｅ−ｍａｉｌ受信動作が起動されると（Ｓ１０５）、主制御部１０１の指示のもと、通信制御部１１３が、所定の手順を施し、ｅ−ｍａｉｌサーバにアクセスし、ｅ−ｍａｉｌ文書の受信を開始する。
【００３８】
なお、受信する文書は、ファクシミリ装置ＦＳ１に設定されている複数のｅ−ｍａｉｌアドレス宛文書を一括して受信するのではなく、使用者固有情報処理部１０９が主制御部１０１に通達した使用者固有情報（すなわちｅ−ｍａｉｌアドレス）宛の文書のみを受信する。
【００３９】
この受信したｅ−ｍａｉｌ文書を、通信制御部１１３が、メモリ１１４に記憶させる。使用者固有情報処理部１０９で識別された使用者のｅ−ｍａｉｌアドレス宛文書の全てを受信し終わるまで、ｅ−ｍａｉｌ文書の受信動作を行う（Ｓ１０７）。
【００４０】
図３は、上記実施例における第２の受信動作を示すフローチャートである。
【００４１】
第２の受信動作が第１の受信動作と異なる点は、ファクシミリ装置ＦＳ１に受信動作指示を行った後に、音声入力を促す点である。
【００４２】
操作部１０２に設けられているキーを介して、ｅ−ｍａｉｌ受信動作モードと受信動作起動指示とが設定されると（Ｓ２０１、Ｓ２０２）、使用者に対して音声入力を促す（Ｓ２０３）。
【００４３】
使用者が、ハンドセットまたはマイク等の音声入力部１０４に、音声入力すると、使用者識別動作を行う。すなわち、音声入力部１０４に入力された音声データを、Ａ／Ｄ変換部１０５がディジタルデータに変換し、この変換後のディジタルデータを、話者識別処理部１０７に出力する。
【００４４】
話者識別処理部１０７は、第１の受信動作における動作と同様に、話者識別パラメータ記憶部１０６に記憶されているデータに基づいて、話者を識別する（Ｓ２０４）。話者識別処理部１０７が使用者を識別すると、識別情報を使用者固有情報処理部１０９に出力する。
【００４５】
使用者固有情報処理部１０９は、話者識別処理部１０７が出力した識別情報と、使用者固有情報記憶部１０８に記憶されている使用者固有情報とに基づいて、使用者固有情報（すなわち使用者に対応するｅ−ｍａｉｌアドレス）を確認する（Ｓ２０５）。
【００４６】
使用者固有情報処理部１０９が識別したｅ−ｍａｉｌアドレスは、主制御部１０１に通達される。主制御部１０１は、使用者固有情報処理部１０９から通達されたｅ−ｍａｉｌアドレスに対応する受信文書の受信動作指示を、通信制御部１１３に出力する。
【００４７】
通信制御部１１３は、主制御部１０１による指示に従い、使用者に対応するｅ−ｍａｉｌアドレス宛の受信文書のみを受信する（Ｓ２０６）。使用者に対応するｅ−ｍａｉｌアドレス宛の全ての文書を受信し終わるまで、上記受信動作が繰り返される（Ｓ２０７）。なお、受信文書は、主制御部１０１と通信制御部１１３とによる制御のもとで、メモリ１１４に記憶される。
【００４８】
上記第１、第２の受信動作において、操作部１０２によるｅ−ｍａｉｌ受信動作モード設定と、受信動作起動設定と、音声入力部１０４による使用者識別のための音声入力とを、互いに別動作で実行するが、ｅ−ｍａｉｌ受信動作モード設定と、受信動作起動設定と、使用者識別のための音声入力とを、１つの音声入力で実行するようにしてもよい。たとえばｅ−ｍａｉｌ受信動作時に、使用者に“メール受信”という音声を入力させ、上記音声入力のみによって、ｅ−ｍａｉｌ受信動作の起動と、使用者識別と、ｅ−ｍａｉｌ受信文書の受信とを、自動的に実行させるようにしてもよい。
【００４９】
次に、上記実施例において、受信文書を開封する動作について説明する。
【００５０】
図４は、上記実施例において、受信文書を開封する動作を示すフローチャートである。
【００５１】
操作部１０２に設けられているキーを介して、ｅ−ｍａｉｌ文書開封モードを設定すると、使用者に音声入力を促す（Ｓ３０１、Ｓ３０２）。音声入力部１０４に使用者の音声が入力されると、入力された音声を識別する。すなわち、入力音声データを、Ａ／Ｄ変換部１０５がディジタルデータに変換する。
【００５２】
話者識別処理部１０７は、Ａ／Ｄ変換部１０５が出力したディジタルデータと、話者識別パラメータ記憶部１０６に記憶されているデータとに基づいて、話者を識別する（Ｓ３０３）。使用者固有情報処理部１０９は、話者識別処理部１０７が識別した識別情報と、使用者固有情報記憶部１０８に記憶されているデータとに基づいて、使用者に対応する使用者固有情報（すなわちｅ−ｍａｉｌアドレス）を確認する。
【００５３】
使用者固有情報処理部１０９は、使用者に対応するｅ−ｍａｉｌアドレスが、使用者固有情報記憶部１０８に記憶されていることを確認すると、確認した使用者固有情報（すなわちｅ−ｍａｉｌアドレス）を、主制御部１０１に通達する。主制御部１０１への通達手法は、ｅ−ｍａｉｌ文書受信動作時と同様であるので、ここでの説明は省略する。
【００５４】
ｅ−ｍａｉｌ文書を開封する場合、主制御部１０１が、上記受信したｅ−ｍａｉｌ文書を、メモリ１１４から読み出し、たとえば受信文書のタイトルを表示部１０３に表示する。
【００５５】
開封するｅ−ｍａｉｌ受信文書を、操作部１０２を介して、使用者が指定すると（Ｓ３０４）、指定された文書のｅ−ｍａｉｌアドレスと、使用者固有情報処理部１０９が識別したｅ−ｍａｉｌアドレスとを、主制御部１０１が照合する（Ｓ３０５）。
【００５６】
使用者固有情報処理部１０９が主制御部１０１に通達したｅ−ｍａｉｌアドレスと合致した場合に限り、使用者が指示した受信文書を開封する（Ｓ３０６）。開封受信文書を、表示部１０３に表示するようにしてもよく、画像記録部１１２に印字出力するようにしてもよい。使用者による受信文書選択指示が終了するまで、受信文書開封動作を行う（Ｓ３０７）。
【００５７】
なお、上記実施例では、受信文書開封動作モード設定と、使用者識別の音声入力とを、別動作で実施するが、たとえば、使用者に“メール開封”という音声の入力を促し、上記音声入力のみによって、ｅ−ｍａｉｌ受信文書の開封動作と、使用者識別とを、自動的に実行するようにしてもよい。
【００５８】
また、上記実施例において、ｅ−ｍａｉｌ文書の受信動作と、ｅ−ｍａｉｌ受信文書の開封動作とは、互いに別動作であるが、ｅ−ｍａｉｌ文書の受信動作と受信文書の開封動作とを、１度の音声入力動作によって実行するようにしてもよい。たとえば、使用者に“メール”という音声入力を促し、上記音声が入力されると、対応するｅ−ｍａｉｌアドレス宛文書を自動受信し、受信した文書を、順次、表示部１０３または画像記録部１１２で開封するようにしてもよい。
【００５９】
次に、上記実施例において、使用者固有情報を登録する動作について説明する。
【００６０】
図５は、上記実施例において、使用者固有情報を登録する動作を示すフローチャートである。
【００６１】
使用者固有情報を登録するときに、使用者に音声入力を促す。使用者が登録音声を入力すると、入力音声データを、所定のサンプリングタイミングでサンプリングし、サンプリングした音声データを話者識別パラメータ記憶部１０６に記憶する（Ｓ６０２、Ｓ６０３）。音声データの登録が完了すると、使用者に、対応する使用者固有情報（すなわちｅ−ｍａｉｌアドレス）の入力を促す。
【００６２】
使用者がｅ−ｍａｉｌアドレスを入力すると、登録動作を完了する（Ｓ６０４）。なお、登録時の音声データは、既に説明したように、使用者識別のみを行わせるデータでもよく、ファクシミリ装置ＦＳ１の動作モード指定と、使用者識別とを兼ね備えたものでもよい。
【００６３】
また、ファクシミリ装置以外の画像通信装置に、上記実施例を適用するようにしてもよい。
【００６４】
上記実施例よれば、ｅ−ｍａｉｌアドレスが複数、登録されている画像通信装置において、音声入力によって使用者を識別し、識別された使用者のｅ−ｍａｉｌアドレスに対応する受信文書のみを受信するので、他の使用者に、文書が受信されることを阻止することができ、また、識別された使用者のｅ−ｍａｉｌアドレスに対応する受信文書のみを開封するので、受信文書の秘匿性を保持することができる。
【００６５】
また、上記実施例によれば、ｅ−ｍａｉｌ受信動作モードの指示と、ｅ−ｍａｉｌ受信文書の開封指示等の装置動作モードと、使用者を識別するための音声入力とを統合するので、操作部に設けられるキーの数を抑制することができ、画像通信装置全体のコストを抑えることができる。
【００６６】
【発明の効果】
本発明によれば、ｅ−ｍａｉｌアドレスが複数、登録されている画像通信装置において、音声入力手段を介して、装置使用者が１回、入力した音声データのみに基づいて、装置使用者を識別し、識別した使用者固有情報に基づく受信文書のみを受信し、また、装置の動作モード指定と、識別使用者固有情報に基づく受信文書の開封とを、一括して実行するので、識別された装置使用者以外の使用者に、文書が開封されることを阻止することができ、したがって、受信文書の秘匿性を確実に保持することができるという効果を奏する。
【図面の簡単な説明】
【図１】本発明の一実施例であるファクシミリ装置ＦＳ１を示すブロック図である。
【図２】ファクシミリ装置ＦＳ１において、ｅ−ｍａｉｌ文書を受信する動作を示すフローチャートである。
【図３】上記実施例における第２の受信動作を示すフローチャートである。
【図４】上記実施例において、受信文書を開封する動作を示すフローチャートである。
【図５】上記実施例において、使用者固有情報を登録する動作を示すフローチャートである。
【図６】従来のファクシミリ装置ＦＳ１１の構成を示すブロック図である。
【図７】従来のファクシミリ装置ＦＳ１１の動作を示すフローチャートである。
【図８】従来のファクシミリ装置ＦＳ１１において、ｅ−ｍａｉｌ受信文書を開封する動作を示すフローチャートである。
【符号の説明】
ＦＳ１…ファクシミリ装置、
１０１…主制御部、
１０２…操作部、
１０３…表示部、
１０４…音声入力部、
１０５…Ａ／Ｄ変換部、
１０６…話者識別パラメータ記憶部、
１０７…話者識別処理部、
１０８…使用者固有情報記憶部、
１０９…使用者固有情報処理部、
１１０…画像読取部、
１１１…画像処理部、
１１２…画像記録部、
１１３…通信制御部、
１１５…通信回線。
【図１】
0003715916.tif 000002
【図２】
0003715916.tif 000003
【図３】
0003715916.tif 000004
【図４】
0003715916.tif 000005
【図５】
0003715916.tif 000006
【図６】
0003715916.tif 000007
【図７】
0003715916.tif 000008
【図８】
0003715916.tif 000009